(57)【要約】　　　（修正有）【課題】通い箱等として接着剤、ステープル或いは粘着テープ等を使用せずに容易に組み立てることが可能で、収納物の重量にも確実に耐えることができ、これにより上面と底面を閉じるフラップを劣化させずに組み立てと折り畳みを可能とする。【解決手段】包装用箱は、隣接する第一のフラップ６、６、８、８と第二のフラップ７、７、９、９とが折線を介して連続している共に、それら第一のフラップ６、６、８、８と第二のフラップ７、７、９、９の中央部分にタブ状の突片８〜１１を設けている。前記第一のフラップ６、６、８、８と第二のフラップ７、７、９、９の少なくとも何れか一方の突片８〜１１の基部両側のコーナーから、それらフラップ４〜７と側パネル１、１及び／または端パネル２、２との折線の交点にわたってブランクを１８０゜に折り曲げ可能な折線１２、１３を設けている。【選択図】　　図１
2004042970.tif 000002
【特許請求の範囲】
【請求項１】
内部に収納物を収納する箱であって、その対向する一対の側面を構成する側パネル（１）、（１）と、箱の対向する一対の端面を構成する端パネル（２）、（２）とが折線を介して交互に連なり、最も端の側パネル（１）と端パネル（２）の側辺が互いに接合され、側パネル（１）、（１）と端パネル（２）、（２）の上辺及び／または下辺の折線から箱の底面及び／または上面を閉じる第一のフラップ（６）、（６）と第二のフラップ（７）、（７）とがそれぞれ延設され、対向する一対の第一のフラップ（６）、（６）と対向する一対の第二のフラップ（７）、（７）とを前後して箱の内側に折り曲げ、隣接する第一のフラップ（６）、（６）と第二のフラップ（７）、（７）との両端を互いに係合して箱の上面及び／または底面を閉じる包装用箱において、隣接する第一のフラップ（６）、（６）、（８）、（８）と第二のフラップ（７）、（７）、（９）、（９）とが折線を介して連続している共に、それら第一のフラップ（６）、（６）、（８）、（８）と第二のフラップ（７）、（７）、（９）、（９）の中央部分にタブ状の突片（８）〜（１１）を設け、前記第一のフラップ（６）、（６）、（８）、（８）と第二のフラップ（７）、（７）、（９）、（９）の少なくとも何れか一方の突片（８）〜（１１）の基部両側のコーナーから、それらフラップ（４）〜（７）と側パネル（１）、（１）及び／または端パネル（２）、（２）との折線の交点にわたってブランクを１８０゜に折り曲げ可能な折線（１２）、（１３）を設けたことを特徴とする包装用箱。
【請求項２】
第一のフラップ（６）、（６）、（８）、（８）と第二のフラップ（７）、（７）、（９）、（９）との中央部分に設けたタブ状の突片（８）〜（１１）の両側にある突片（８）〜（１１）の無い部分の幅（ｍ１）、（ｍ２）は、それら第一のフラップ（６）、（６）、（８）、（８）と第二のフラップ（７）、（７）、（９）、（９）のその部分の高さｈとほぼ等しいことを特徴とする請求項１に記載の包装用箱。
【発明の詳細な説明】
【０００１】
【発明の属する技術分野】
本発明は、段ボール板等のブランクを折り曲げて作る箱状の包装用箱に関し、特に折り畳んだ状態から接着剤、ステープル或いは粘着テープ等を使用せずに簡単に箱状の容器を組み立てることができ、また箱状の容器から収納物を取り出した後は、簡単に二重に折り畳むことができ、そのため通い箱等として利用して好適な包装用箱に関する。
【０００２】
【従来の技術】
従来最も一般的な包装容器の一つとして、段ボール板等のブランクを折り曲げて作る箱状の包装用箱がある。例えば、ブランクを縦に平行な４本の折れ線で同じ方向に順次折り曲げ、その両端縁を接着やステープル止めすることにより、四角筒状の胴部を形成し、この胴部の下辺から延設した底フラップを内側に折り曲げて箱の下面と閉じ、胴部の上辺から延設した上フラップを内側に折り曲げて箱の上面を閉じる。
【０００３】
このような包装用箱では、箱の底面を閉じた状態で箱の内部に収納物を収納し、その後箱の上面を閉じる。箱の底面は、接着剤、ステープル或いは粘着テープ等を使用して収納物の重量に耐えることができるようにしっかりと閉じる。また、上面は搬送中に簡単に開かないようにやはり前記の接着剤、ステープル、粘着テープ或いは他の適宜の手段によって閉じる。
【０００４】
大半の段ボール箱は、収納物である物品を搬送した後、収納先で分解され、廃棄されるかまたはリサイクル業者に回収される。今日、リサイクルされる段ボール箱の割合は、８０％を越えており、相当の割合の使用済み段ボール箱がリサイクルされているが、１００％に至っていない。段ボール箱のブランクとなる段ボール板は、木材パルプから作られる紙を使用した製品であり、さらにその省資源化が要請されている。段ボールのリサイクルには、リサイクル工場等の設備を必要とし、その設備によるリサイクル処理を要するため、リサイクルコストの低減が課題となる。
【０００５】
段ボール箱の省資源化のために古くから用いられている形態として、いわゆる通い箱がある。これは、段ボール箱を収納物の搬送元とその搬送先とで往復して繰り返す使用する形態である。この通い箱は、物品を取り出した後の段ボール箱の保管や送り返す時の収納効率や搬送効率を高めるため、空の段ボール箱を容易に折り畳めるようにすることが必要である。
【０００６】
【発明が解決しようとしている課題】
いわゆる通い箱において最も問題となる課題が箱の底面と上面を閉じる手段である。前述のように、段ボール箱では、収納物の重量に耐えることができるように、特に箱の底面をしっかりと閉じる必要がある。そのため一般的には、底面側のフラップを接着剤、ステープル或いは粘着テープ等で連結する手段がとられる。
【０００７】
しかし、接着剤によって底フラップを貼り付けた段ボール箱では、その段ボール箱を折り畳むために底フラップを分離したときに底フラップに接着剤が残ってしまう。また、底フラップを分離するときに、底フラップを破損してしまうこともある。破損しないまでも底フラップは分離する度に劣化してしまう。さらに、段ボール箱を再び組み立てる際に、接着剤によって底フラップを貼り付けるためには、接着剤の塗布用具等の特殊な道具を必要とし、その手数も面倒である。
【０００８】
また、ステープルや粘着テープで底フラップを止める手段では、段ボール箱を折り畳むために底フラップを分離する度に、底フラップに孔が残ったり粘着テープを剥がす時に底フラップの表皮が剥がれるため、次第に底フラップの強度が低下するという問題がある。
【０００９】
本発明は、前記のような従来の段ボール箱等の包装用箱の課題に鑑み、通い箱等として接着剤、ステープル或いは粘着テープ等を使用せずに容易に組み立てることが可能で、収納物の重量にも確実に耐えることができ、これにより上面と底面を閉じるフラップを劣化させずに組み立てと折り畳みが可能な包装用箱を提供することを目的とする。
【００１０】
【課題を解決するための手段】
本発明では、前記の目的を達成するため、箱の底面や上面を閉じるため、側パネル１、１と端パネル２、２の上辺や下辺の折線から延設した第一のフラップ６、６と第二のフラップ７、７とを、側パネル１、１と端パネル２、２と同様に隣接するものが折線を介して連続するものとし、さらにそれらの中央からタブ状の突片８〜１１を突設し、第一のフラップ６、６と第二のフラップ７、７を前後して箱の内側に折り曲げて、箱の上面や下面を閉じたとき、前記の突片８〜１１を他方のフラップのストッパとして上下のフラップが固定されるようにしたものである。
【００１１】
より具体的に説明すると、本発明による包装用箱は、基本的には、内部に収納物を収納する箱であって、その対向する一対の側面を構成する側パネル１、１と、箱の対向する一対の端面を構成する端パネル２、２とが折線を介して交互に連なり、最も端の側パネル１と端パネル２の側辺が互いに接合され、側パネル１、１と端パネル２、２の上辺及び／または下辺の折線から箱の底面及び／または上面を閉じる第一のフラップ６、６と第二のフラップ７、７とがそれぞれ延設され、対向する一対の第一のフラップ６、６と対向する一対の第二のフラップ７、７とを前後して箱の内側に折り曲げ、隣接する第一のフラップ６、６と第二のフラップ７、７との両端を互いに係合して箱の上面及び／または底面を閉じるものである。
【００１２】
本発明では、このような包装用箱において、隣接する第一のフラップ６、６、８、８と第二のフラップ７、７、９、９とが折線を介して連続している共に、それら第一のフラップ６、６、８、８と第二のフラップ７、７、９、９の中央部分にタブ状の突片８〜１１を設け、前記第一のフラップ６、６、８、８と第二のフラップ７、７、９、９の少なくとも何れか一方の突片８〜１１の基部両側のコーナーから、それらフラップ４〜７と側パネル１、１及び／または端パネル２、２との折線の交点にわたってブランクを１８０゜に折り曲げ可能な折線１２、１３を設けたものである。
【００１３】
さらに具体的な寸法を説明すると、第一のフラップ６、６、８、８と第二のフラップ７、７、９、９との中央部分に設けたタブ状の突片８〜１１の両側にある突片突片８〜１１の無い部分の幅ｍ１、ｍ２は、それら第一のフラップ６、６、８、８と第二のフラップ７、７、９、９のその部分の高さｈとほぼ等しい
【００１４】
このような包装用箱において、その上面または底面を閉じるときは、まず、第一のフラップ４、４、６、６と第二のフラップ５、５、７、７のうち、一方のフラップを箱の内側に折り曲げる。この場合、第一のフラップ４、４、６、６と第二のフラップ５、５、７、７のうち、一方のフラップにのみ１８０゜で折り曲げ可能な折線１２、１２、１３、１３があるときは、その折線１２、１２、１３、１３が無い方のフラップから先に折り曲げるのがよい。その後、他方のフラップを箱の内側に折り曲げ、それらの突片８、８、１１、１１を先に折り曲げたフラップ５、５、６、６の突片９、９、１０、１０の上に載せる。
【００１５】
次にこの状態で、上に載せたフラップの突片８、８、１１、１１を押し下げると、下のフラップの突片９、９、１０、１０も押し下げられる。そしてついには上のフラップの突片８、８、１１、１１が下のフラップの突片９、９、１０、１０の下に入り込む。
【００１６】
その後、上のフラップの突片８、８、１１、１１を押し下げていた力を除くと、第一のフラップ４、４、６、６と第二のフラップ５、５、７、７が自らの弾力で復元する。この状態では、下のフラップ５、５、６、６の突片９、９、１０、１０のみが上のフラップ４、４、７、７の突片８、８、１１、１１の上に乗るため、第一のフラップ４、４、６、６と第二のフラップ５、５、７、７、が互いに上下に組み合い、それらが箱の内側に折り曲げられた状態が保持される。
【００１７】
【発明の実施の形態】
次に、図面を参照しながら、本発明の実施の形態について、具体的且つ詳細に説明する。
図１は、本発明の一実施形態による一般的な包装用箱の本体のブランクの展開図である。この包装用箱のブランクは紙製の波状のシートからなる中芯をライナーでラミネートした段ボール板を使用する。段ボール板を図１に実線で示すように打ち抜くと共に、破線で示すように折れ線を入れることにより、組み立て前のブランクが出来上がる。
【００１８】
図１に示す包装用箱のブランクでは、矩形の側パネル１、１と端パネル２、２とが折れ線を介して交互に連なっている。それら側パネル１、１と端パネル２、２の高さは何れも同じであり、２つの側パネル１、１と端パネル２、２の幅はそれぞれ等しく、側パネル１、１と端パネル２、２とでは幅が異なっている。側パネル１、１と端パネル２、２の高さと幅は、その用途や収納物の大きさ等に応じて異なることは言うまでもない。
【００１９】
側パネル１、１の下辺の折線からは、箱の底面側の第一のフラップ４、４が延設されている。また、端パネル２、２の下辺の折れ線からは箱の底面側の第二のフラップ５、５が延設されている。これら第一のフラップ４、４と第二のフラップ５、５は、前記側パネル１、１と端パネル２、２とは同様に交互に折線を介して交互に連なっており、その折線は、前記側パネル１、１と端パネル２、２との折線の延長線上にある。
【００２０】
こられの底面側の第一のフラップ４、４と第二のフラップ５、５には、その中央から延設されたタブ状の突片８、８、９、９を有する。図１に示した例では、第一のフラップ４、４は第二のフラップ５、５より幅が広く、その分第一のフラップ４、４の突片８、８の幅は第二のフラップ５、５の突片９、９の幅より広い。前者は半長円状の突片であり、後者は半円状の突片である。
【００２１】
第一のフラップ４、４と第二のフラップ５、５の前記突片８、８、９、９の無い両側部分の高さｈは、その突片８、８、９、９の部分の高さＨの約半分である。突片８、８、９、９の部分の高さＨは、端パネル２、２の幅ｗの１／２かそれより僅かに低い。第一のフラップ４、４と第二のフラップ５、５の前記突片８、８、９、９の無い両側部分の幅ｍ１、ｍ２は互いに等しく、それらは第一のフラップ４、４と第二のフラップ５、５の前記突片８、８、９、９の無い両側部分の高さｈとほぼ等しい。
【００２２】
第一のフラップ４、４の突片８、８の基部の両側部分の角から斜め４５゜に折線１２、１２が形成され、その他端は第一のフラップ４、４と側パネル１、１との境界である折線の端の交点に達している。この折線１２、１２は、ブランクである段ボール板を１８０゜折り曲げることが出来るように破線状の断続的な切り込みが入れられている。
【００２３】
他方、側パネル１、１の上辺の折線からは、箱の上面側の第一のフラップ６、６が延設されている。また、端パネル２、２の上辺の折れ線からは箱の上面側の第二のフラップ７、７が延設されている。これら第一のフラップ６、６と第二のフラップ７、７は、前記側パネル１、１と端パネル２、２とは同様に交互に折線を介して交互に連なっており、その折線は、前記側パネル１、１と端パネル２、２との折線の延長線上にある。
【００２４】
こられの底面側の第一のフラップ６、６と第二のフラップ７、７は、その中央からそれぞれ延設されたタブ状の突片１０、１０、１１、１１を有している。図１に示した例では、第一のフラップ６、６は、その突片１０、１０を含めて、前記の底面側の第一のフラップ４、４と同様の形状と寸法を有する。また、第二のフラップ７、７もまた、その突片１１、１１を含めて、前記の底面側の第二のフラップ５、５と同様の形状と寸法を有する。
【００２５】
但し、第一のフラップ６、６の突片１０、１０の基部には前記底面側の第一のフラップ４、４と同様の折線１２、１２は形成されておらず、その代わりに第二のフラップ７、７の両側部分の角から斜め４５゜に折線１３、１３が形成され、その他端は第一のフラップ６、６と端パネル２、２との境界である折線の端の交点に達している。これらの折線１３、１３、１４もまた、ブランクである段ボール板を１８０゜折り曲げることが出来るように破線状の断続的な切り込みが入れられている。
【００２６】
端にある側パネル１及び第一のフラップ４、６の側辺からは、折れ線を介して一体に接合フラップ３が延設されており、この接合フラップ３には、側パネル１と第一のフラップ４、６との境界である折線の延長上に折線が設定されている。他方の端にある端パネル２及び第二のフラップ５、７には、そのような接合フラップは延設されていない。なお、図１において右端の第二のフラップ７の右側に設けた折線１３の位置に対応して、その第二のフラップ７に接続する接合フラップ３にも同じような折線１４が設けられている。
【００２７】
このようなブランクから包装用箱は次のようにして組み立てられる。
まず、側パネル１、１、端パネル２、２、第一のフラップ４、４、６、６、第二のフラップ５、５、７、７及び接合フラップ３の間にある折線を何れも９０゜の角度で同じ方向に折り曲げる。さらに、接合フラップ３の外側面を端パネル２と第二のフラップ７、９の端縁部の内面に当てて、接着、ステープル止め等の手段で固定する。これにより、図２に示すように、側パネル１、１、端パネル２、２、第一のフラップ４、４、６、６及び第二のフラップ５、５、７、７により四角筒状の胴部が形成される。この状態において、図１において右端の第二のフラップ７の右側に設けた折線１３と接合フラップ３に設けた折線１４とは重なり合う。
【００２８】
次に、このようにして側パネル１、１と端パネル２、２とで四角筒状の胴部が形成された後、箱の底面を閉じる。
まず、図３に示すように、箱の底面側を上に、つまり箱の天地を逆にする。この状態で、折線１２、１２の無い第二のフラップ７、７を箱の内側に約９０゜の角度で折り曲げる。この状態では、折線１２、１２の部分がその折線１２、１２において１８０゜の角度で折り曲げられる。
【００２９】
その後、図４に示すように第一のフラップ４、４を箱の内側に約９０゜の角度で折り曲げ、突片８、８を先に折り曲げた第二のフラップ５、５の突片９、９の上に載せる。
次にこの状態で、上に載せた第一のフラップ４、４の突片８、８を押し下げると、下の第二のフラップ５、５の突片９、９も押し下げられる。そしてついには上の第一のフラップ４、４の突片８、８が下の第二のフラップ５、５の突片９、９の下に入り込む。
【００３０】
その後、上の第一のフラップ４、４の突片８、８を押し下げていた力を除くと、第一のフラップ４、４、６、６と第二のフラップ５、５、７、７が自らの弾力で復元する。この状態では、下の第二のフラップ５、５の突片９、９のみが上の第一のフラップ４、４の突片８、８の上に乗るため、第一のフラップ４、４と第二のフラップ５、５が互いに上下に組み合い、それらが箱の内側に折り曲げられた状態が保持される。
【００３１】
次に、箱の上面を閉じるときは、箱の上面側を上に、前記とは箱を上下反対向きにし、箱の天地を正にする。この状態で、前記底面側と同様にして第一のフラップ６、６と第二のフラップ７、７とで箱の上面を閉じる。但し、図１〜図５に示し包装用箱では、上面側の第一のフラップ６、６と第二のフラップ７、７とにおいて、折線１３、１３が底面側と逆に第二のフラップ７、７の側に設けられているため、第一のフラップ６、６と第二のフラップ７、７の折り畳み順序を逆とする。すなわち、第一のフラップ６、６を先に箱の内側に９０゜の角度で折り曲げ、その後第二のフラップ７、７を箱の内側に９０゜の角度で折り曲げ、第二のフラップ７、７の突片１１、１１を押し下げて第一のフラップ６、６と第二のフラップ７、７との係合を図る。それ以外は基本的に箱の上面側と手順は同じである。
【００３２】
なお、、前述の例では、箱の上面と底面の双方を前記のようにして第一のフラップ４、４、６、６と第二のフラップ５、５、７、７と突片８〜１１とそれ以外の部分による係合によって閉止状態を保持するようにしたが、必要に応じて上面と底面側の何れかのみを前記と同様にして第一のフラップ４、４と第二のフラップ５、５との閉止状態を保持する構成とすることも出来る。
【００３３】
また前述の例では、「第一のフラップ」と「第二のフラップ」のように、対向する２対のフラップを使い分ける用語を使用したが、それらは相対的な位置関係を示すものに過ぎない。便宜上対向する一方の対のフラップを「第一のフラップ」とし、対向する他方の対のフラップを「第二のフラップ」としたに過ぎない。
【００３４】
さらに、「側パネル」や「端パネル」のように、６面体の箱の側面と端面を使い分ける用語を使用したが、箱の側面と端面とは相対的な位置関係を示す用語で、対向する或る一対の縦の面を側面とすれば、それらの面と直交する対向する他の一対の縦の面が端面となるのに過ぎない。平面が正方形の箱体の場合を考えると明らかなように、立法体形の箱における側面と端面とは、対抗した一対ずつの縦の面を区別するのに意味があるのに過ぎない。
【００３５】
【発明の効果】
以上説明した通り、本発明による包装用箱では、接着剤、ステープル或いは粘着テープ等を使用せずに箱の上面や底面を開閉することが可能で、収納物の出荷時の検査や取引時の外観評価等を容易に行うことが出来る包装用箱を得ることが出来る。。
【図面の簡単な説明】
【図１】本発明による包装用箱の一実施形態を示すもので、包装用箱を組み立てるため段ボール等を裁断し、折れ線を入れた状態のブランクの展開図である。
【図２】同包装容器の実施形態において、側パネルと端パネルの端部を接合し、四角筒状の胴部を形成し、その底面を閉じるため、箱の底面側の第二のフラップを箱の上面側に倒した状態の斜視図である。
【図３】同包装容器の実施形態において、図２の状態からさらに一方の箱の底面側の第二のフラップを箱の上面側に倒した状態の斜視図である。
【図４】同包装容器の実施形態において、図３の状態からさらに他方の箱の底面側の第二のフラップを箱の上面側に倒した状態の斜視図である。
【図５】同包装容器の実施形態において、箱の底面側が閉じられた状態を示す斜視図である。
【符号の説明】
１　　側パネル
２　　端パネル
４　　箱の底面側の第一のフラップ
５　　箱の底面側の第二のフラップ
６　　箱の上面側の第一のフラップ
７　　箱の上面側の第二のフラップ
８　　箱の底面側の第一のフラップの突片
９　　箱の底面側の第二のフラップの突片
１０　箱の上面側の第一のフラップの突片
１１　箱の上面側の第二のフラップの突片
１２　１８０゜折り曲げ可能な折線
１３　１８０゜折り曲げ可能な折線
【図１】
2004042970.tif 000003
【図２】
2004042970.tif 000004
【図３】
2004042970.tif 000005
【図４】
2004042970.tif 000006
【図５】
2004042970.tif 000007